(57)【要約】【課題】停電が復旧したとき、切替スイッチを操作して電力を供給するための電源を第２電源から第１電源へ切り替えることを忘れるのを防止することができるようになる開閉装置の電源切替装置を提供すること。【解決手段】非常時に、開閉装置であるシャッター装置の第１電源である商用電源から、第２電源である発電機へ切り替えるための切替スイッチ５３は、蓋部材４０によって開閉自在となっている開口部３４Ｂを有する収納部材であるガイドレール６Ｂの内部に収納配置され、ヒンジを中心に回動自在となっている蓋部材４０の裏面４０Ｂには、開口部３４Ｂと対向して配置されている操作部６２が、この操作部６２の回動範囲のうち、水平姿勢となる中央位置から下側の回動限位置までの位置にあるとき、蓋部材４０が全閉位置まで閉鎖動作することを阻止するための蓋部材全閉動作阻止手段である突出部材９０を配置した。【選択図】図１４
2018178616.tif 000002
【特許請求の範囲】
【請求項１】
開閉移動自在となっている開閉体と、この開閉体を駆動させるための駆動装置と、通常時に前記駆動装置に電力を供給するための第１電源と、非常時に前記駆動装置に電力を供給するための第２電源と、前記非常時に前記第１電源から前記第２電源へ切り替えるための切替スイッチと、を含んで構成された開閉装置の電源切替装置において、
前記切替スイッチは、上下方向と左右方向のうち、一方の方向に回動自在な操作部を有しており、前記操作部を一方の回動限位置まで回動させることにより、前記第１電源からの電力が供給され、前記操作部を他方の回動限位置まで回動させることにより、前記第２電源からの電力が供給されるものとなっており、
前記切替スイッチは、蓋部材によって開閉自在となっている開口部を有する収納部材の内部に収納配置され、前記蓋部材は、ヒンジを中心に回動自在となっており、
前記蓋部材の裏面には、前記開口部と対向して配置されている前記操作部が、この操作部の回動範囲のうち、中央位置から前記他方の回動限位置までの位置にあるとき、前記蓋部材が全閉位置まで閉鎖動作することを阻止するための蓋部材全閉動作阻止手段が備えられていることを特徴とする開閉装置の電源切替装置。
【請求項２】
請求項１に記載の開閉装置の電源切替装置において、前記操作部は、前記上下方向に回動自在となっており、前記操作部を前記一方の回動限位置である上側の回動限位置まで回動させることにより、前記第１電源からの電力が供給され、前記操作部を前記他方の回動限位置である下側の回動限位置まで回動させることにより、前記第２電源からの電力が供給されるものとなっており、前記蓋部材全閉動作阻止手段は、前記操作部が中央位置から前記下側の回動限位置までの位置にあるとき、前記蓋部材が全閉位置まで閉鎖動作することを阻止することを特徴とする開閉装置の電源切替装置。
【請求項３】
請求項２に記載の開閉装置の電源切替装置において、前記切替スイッチは、前記開口部側の部分が半円部となっているカバー部材を有しており、前記操作部は、前記半円部の外周面の周方向に形成された溝部から突出しているとともに、前記溝部に案内されて上下方向に回動自在となっており、前記蓋部材全閉動作阻止手段は、前記蓋部材の前記裏面から前記収納部材側へ突出して配置された突出部材であり、この突出部材は、前記カバー部材の前記半円部の前記外周面と略対応する形状を有するとともに前記収納部材側へ開口した凹部を有しており、前記凹部よりも下側の部分における前記収納部材側の端面は、前記凹部よりも上側の部分における前記収納部材側の端面よりも、前記操作部の回動方向である厚さ方向の寸法分と同じ又は略同じだけ前記収納部材側に突出していることを特徴とする開閉装置の電源切替装置。
【請求項４】
請求項１〜３のいずれかに記載の開閉装置の電源切替装置において、前記収納部材は、前記開閉体の開閉移動を案内するための案内部材であることを特徴とする開閉装置の電源切替装置。
【請求項５】
請求項４に記載の開閉装置の電源切替装置において、前記切替スイッチは、前記開閉体の幅方向両側に配置されている左右の前記案内部材のうち、右側の案内部材の内部に収納配置されており、前記蓋部材は、右開きの扉体となっていることを特徴とする開閉装置の電源切替装置。
【請求項６】
請求項４又は５に記載の開閉装置の電源切替装置において、前記切替スイッチは、同じ断面形状が長手方向に連続している断面ハット形状の台座部材を介して直接又はさらに取付部材を介して前記案内部材の内部に収納配置されており、前記台座部材の断面形状は、前記切替スイッチが配置される平坦部と、この平坦部の幅方向の両端部から前記開口部側とは反対の側に９０度屈曲した左右の第１屈曲部と、それぞれの第１屈曲部の先端部から前記幅方向外側に９０度屈曲した左右の第２屈曲部とからなっていることを特徴とする開閉装置の電源切替装置。
【請求項７】
請求項６に記載の開閉装置の電源切替装置において、前記第２電源の電源プラグが差し込まれるコンセントを備えており、このコンセントは、前記台座部材の前記平坦部に配置されて前記切替スイッチと一体化されていることを特徴とする開閉装置の電源切替装置。
【請求項８】
請求項７に記載の開閉装置の電源切替装置において、前記台座部材の長手方向は上下方向となっており、前記切替スイッチと前記コンセントは、上から前記切替スイッチ、前記コンセントの順に縦並びに配置されていることを特徴とする開閉装置の電源切替装置。
【請求項９】
請求項７又は８に記載の開閉装置の電源切替装置において、前記案内部材は、前記開閉体の幅方向の端部がスライド自在に挿入される挿入部と、少なくとも前記切替スイッチ及び前記コンセントが収納配置される収納部と、を含んで構成され、前記挿入部と前記収納部とは、仕切部によって仕切られていることを特徴とする開閉装置の電源切替装置。
【請求項１０】
請求項１〜９のいずれかに記載の開閉装置の電源切替装置において、前記第１電源は商用電源であり、前記第２電源は移動自在となっている発電機であることを特徴とする開閉装置の電源切替装置。
【発明の詳細な説明】
【技術分野】
【０００１】
本発明は、開閉移動自在となっている開閉体を備えた開閉装置の電源切替装置に係り、例えば、シャッターカーテンが開閉体となっているシャッター装置や、スライドするドアが開閉体となっているオーバースライディングドア（オーバーヘッドドア）装置、防煙垂れ壁装置、引き戸装置等の各種の開閉装置に利用できるものである。
【背景技術】
【０００２】
下記の特許文献１には、開閉移動自在となっている開閉体であるシャッターカーテン５０（図２参照）と、このシャッターカーテン５０を駆動させるための駆動装置である開閉機Ｍ（図１及び図２参照）と、通常時に少なくとも開閉機Ｍに電力を供給するための第１電源である商用電源ＡＣ（図２参照）と、停電が発生した非常時に少なくとも開閉機Ｍに電力を供給するための第２電源である非常電源４５と、少なくとも非常時に商用電源ＡＣから非常電源４５へ切り替えるための切替スイッチである非常用開閉器４６（図３参照）と、を含んで構成された開閉装置であるシャッター装置の電源切替装置が示されている。
【先行技術文献】
【特許文献】
【０００３】
【特許文献１】特開平９−２８７３７１号公報
【発明の概要】
【発明が解決しようとする課題】
【０００４】
ところで、上述した電源切替装置の切替スイッチが、人間により操作されるものである場合、すなわち、手動式のものである場合には、停電が復旧したときには、電源切替装置の切替スイッチを操作して、開閉機Ｍ等に電力を供給するための電源を非常電源４５から商用電源ＡＣへ即時に切り替えることが好ましい。
【０００５】
ここで、上述した手動式の切替スイッチが、蓋部材によって開閉自在となっている開口部を有する収納部材の内部に収納配置されるもので、蓋部材がヒンジを中心に回動自在となっている場合には、非常時には、シャッター装置の管理者等が、全閉状態の蓋部材を開放動作させた後、切替スイッチを操作して、開閉機Ｍ等に電力を供給するための電源を商用電源ＡＣから非常電源４５へ切り替えることになる。
【０００６】
この後、蓋部材を閉鎖動作させて再び全閉状態とした場合には、停電が復旧したとき、電源切替操作を行ったシャッター装置の管理者等が、切替スイッチを操作して電力を供給するための電源を非常電源４５から商用電源ＡＣへ切り替えることを忘れるおそれがある。
【０００７】
これは、シャッター装置の管理者が、電源切替操作後、蓋部材を閉鎖動作させて再び全閉状態とした場合には、外部からは、切替スイッチの状態がどうなっているのかが分からなくなるためである。
【０００８】
このため、停電が復旧したとき、切替スイッチを操作して電力を供給するための電源を非常電源４５から商用電源ＡＣへ切り替えることを忘れないようにするための工夫が求められている。
【０００９】
本発明の目的は、停電が復旧したとき、切替スイッチを操作して電力を供給するための電源を第２電源から第１電源へ切り替えることを忘れるのを防止することができるようになる開閉装置の電源切替装置を提供するところにある。
【課題を解決するための手段】
【００１０】
本発明に係る開閉装置の電源切替装置は、開閉移動自在となっている開閉体と、この開閉体を駆動させるための駆動装置と、通常時に前記駆動装置に電力を供給するための第１電源と、非常時に前記駆動装置に電力を供給するための第２電源と、前記非常時に前記第１電源から前記第２電源へ切り替えるための切替スイッチと、を含んで構成された開閉装置の電源切替装置において、前記切替スイッチは、上下方向と左右方向のうち、一方の方向に回動自在な操作部を有しており、前記操作部を一方の回動限位置まで回動させることにより、前記第１電源からの電力が供給され、前記操作部を他方の回動限位置まで回動させることにより、前記第２電源からの電力が供給されるものとなっており、前記切替スイッチは、蓋部材によって開閉自在となっている開口部を有する収納部材の内部に収納配置され、前記蓋部材は、ヒンジを中心に回動自在となっており、前記蓋部材の裏面には、前記開口部と対向して配置されている前記操作部が、この操作部の回動範囲のうち、中央位置から前記他方の回動限位置までの位置にあるとき、前記蓋部材が全閉位置まで閉鎖動作することを阻止するための蓋部材全閉動作阻止手段が備えられていることを特徴とするものである。
【００１１】
本発明では、切替スイッチは、上下方向と左右方向のうち、一方の方向に回動自在な操作部を有しており、この操作部を一方の回動限位置まで回動させることにより、第１電源からの電力が供給され、操作部を他方の回動限位置まで回動させることにより、第２電源からの電力が供給されるものとなっている。
【００１２】
言い換えると、切替スイッチの操作部の回動範囲のうち、一方の回動限位置は、第１電源からの電力が供給されるようになる位置であり、他方の回動限位置は、第２電源からの電力が供給されるようになる位置である。
【００１３】
また、本発明では、切替スイッチは、蓋部材によって開閉自在となっている開口部を有する収納部材の内部に収納配置され、蓋部材は、ヒンジを中心に回動自在となっている。なお、この蓋部材の回動方向は、左右方向でもよく、上下方向でもよい。
【００１４】
そして、本発明では、蓋部材の裏面には、収納部材の開口部と対向して配置されている切替スイッチの操作部が、この操作部の回動範囲のうち、中央位置（操作部が水平姿勢となる位置）から他方の回動限位置までの位置にあるとき、蓋部材が全閉位置まで閉鎖動作することを阻止するための蓋部材全閉動作阻止手段が備えられている。
【００１５】
すなわち、本発明では、切替スイッチの操作部が中央位置から他方の回動限位置までの位置にあるときには、蓋部材を全閉位置まで閉鎖動作させようとしても（言い換えると、閉じ側へ回動操作させようとしても）、この蓋部材は、全閉位置の手前の位置で閉鎖動作を停止することになる。
【００１６】
このため、本発明によると、切替スイッチを操作して電力を供給するための電源を第２電源から第１電源へ切り替えること、言い換えると、切替スイッチを通常時の位置に戻すことを忘れるのを防止できるようになる。
【００１７】
なお、操作部が、中央位置よりも他方の回動限位置の側の位置（他方の回動限位置を除く）にあるときには、言い換えると、中央位置よりも他方の回動限位置の側の位置から、他方の回動限位置の直前までの位置にあるときには、閉鎖動作させた蓋部材によって、操作部が他方の回動限位置まで回動するようにしてもよく、しなくてもよい。
【００１８】
なお、操作部が、中央位置よりも一方の回動限位置の側の位置（一方の回動限位置を含む）にあるときは、言い換えると、中央位置よりも一方の回動限位置の側の位置から、一方の回動限位置までの位置にあるときには、蓋部材を全閉位置まで閉鎖動作させることができる。
【００１９】
また、操作部が、中央位置よりも一方の回動限位置の側の位置（一方の回動限位置を除く）にあるときは、言い換えると、中央位置よりも一方の回動限位置の側の位置から、一方の回動限位置の直前までの位置にあるときには、閉鎖動作させた蓋部材によって、操作部が一方の回動限位置まで回動するようにしてもよく、しなくてもよい。
【００２０】
本発明において、切替スイッチの操作部が上下方向に回動自在となっている場合であって、操作部を一方の回動限位置である上側（言い換えると、上方向）の回動限位置まで回動させることにより、第１電源からの電力が供給され、操作部を他方の回動限位置である下側（言い換えると、下方向）の回動限位置まで回動させることにより、第２電源からの電力が供給されるものとした場合には、蓋部材全閉動作阻止手段は、操作部が中央位置から下側の回動限位置までの位置にあるとき、蓋部材が全閉位置まで閉鎖動作することを阻止するものとなる。
【００２１】
また、切替スイッチの操作部が上下方向に回動自在となっている場合であって、操作部を一方の回動限位置である下側の回動限位置まで回動させることにより、第１電源からの電力が供給され、操作部を他方の回動限位置である上側の回動限位置まで回動させることにより、第２電源からの電力が供給されるものとした場合には、蓋部材全閉動作阻止手段は、操作部が中央位置から上側の回動限位置までの位置にあるとき、蓋部材が全閉位置まで閉鎖動作することを阻止するものとなる。
【００２２】
一方、本発明において、切替スイッチの操作部が左右方向に回動自在となっている場合であって、操作部を一方の回動限位置である左側（言い換えると左方向）の回動限位置まで回動させることにより、第１電源からの電力が供給され、操作部を他方の回動限位置である右側（言い換えると、右方向）の回動限位置まで回動させることにより、第２電源からの電力が供給されるものとした場合には、蓋部材全閉動作阻止手段は、操作部が中央位置から右側の回動限位置までの位置にあるとき、蓋部材が全閉位置まで閉鎖動作することを阻止するものとなる。
【００２３】
また、切替スイッチの操作部が左右方向に回動自在となっている場合であって、操作部を一方の回動限位置である右側（言い換えると、右方向）の回動限位置まで回動させることにより、第１電源からの電力が供給され、操作部を他方の回動限位置である左側（言い換えると、左方向）の回動限位置まで回動させることにより、第２電源からの電力が供給されるものとした場合には、蓋部材全閉動作阻止手段は、操作部が中央位置から左側の回動限位置までの位置にあるとき、蓋部材が全閉位置まで閉鎖動作することを阻止するものとなる。
【００２４】
以上の本発明において、切替スイッチの形式、構造等は、第１電源と第２電源との相互切替ができるものであれば任意なものでよく、例えば、切替スイッチは、上下方向に運動する操作部を有しているものであってもよく、なくてもよい。
【００２５】
前者の場合における切替スイッチとして、例えば、ナイフスイッチ、トグルスイッチ（操作部が上下方向に運動するもの）、ロッカースイッチ等を挙げることができ、後者の場合における切替スイッチとして、例えば、ロータリースイッチ、セレクタスイッチ、トグルスイッチ（操作部が左右方向に運動するもの）、押しボタンスイッチ等を挙げることができる。
【００２６】
本発明において、蓋部材全閉動作阻止手段の形式、構造は、開口部と対向して配置されている操作部が、この操作部の回動範囲のうち、中央位置から他方の回動限位置までの位置にあるとき、蓋部材が全閉位置まで閉鎖動作することを阻止するものであれば、任意なものでよい。
【００２７】
本発明において、前述したように、切替スイッチの操作部が上下方向に回動自在となっている場合であって、操作部を上側の回動限位置まで回動させることにより、第１電源からの電力が供給され、操作部を下側の回動限位置まで回動させることにより、第２電源からの電力が供給されるものとした場合において、切替スイッチの形式、構造は、例えば、開口部側の部分が半円部となっているカバー部材を有しており、操作部は、前記半円部の外周面の周方向に形成された溝部から突出しているとともに、前記溝部に案内されて上下方向に回動自在となっているものであってもよく、なくてもよい。
【００２８】
前者の場合において、蓋部材全閉動作阻止手段の形式、構造の一例として、蓋部材の裏面から収納部材側へ突出して配置された突出部材であり、この突出部材は、カバー部材の半円部の外周面と略対応する形状を有するとともに収納部材側へ開口した凹部を有しており、前記凹部よりも下側の部分における収納部材側の端面は、前記凹部よりも上側の部分における収納部材側の端面よりも、操作部の回動方向である厚さ方向の寸法分と同じ又は略同じだけ収納部材側に突出しているものを挙げることができる。
【００２９】
この例では、操作部が、蓋部材を閉鎖動作させる前から上側の回動限位置にあるときには、蓋部材を閉鎖動作させていくと、この蓋部材は、全閉位置まで閉鎖動作するとともに、蓋部材の裏面に配置された突出部材の凹部の全部が、切替スイッチのカバー部材の半円部の外周面に接触（言い換えると、密着）した状態となるとともに、突出部材の凹部よりも上側の部分における収納部材側の端面が、上側の回動限位置にある操作部の開口部側の部分と当接した状態となる。
【００３０】
また、この例では、操作部が、蓋部材を閉鎖動作させる前から下側の回動限位置にあるときには、蓋部材を閉鎖動作させていくと、突出部材の凹部よりも下側の部分における収納部材側の端面が、下側の回動限位置にある操作部の開口部側の部分と当接した時点で、蓋部材は、全閉位置の手前で閉鎖動作を停止し、このとき、蓋部材の裏面に配置された突出部材の凹部の全部は、切替スイッチのカバー部材の半円部の外周面に接触していない状態となっている。
【００３１】
また、この例では、操作部が、蓋部材を閉鎖動作させる前から中央位置にあるときには、蓋部材を閉鎖動作させていくと、突出部材の凹部が操作部の先端部に当接した時点で、蓋部材は、全閉位置の手前（言い換えると、直前）で閉鎖動作を停止する。なお、このとき、蓋部材の裏面に配置された突出部材の凹部の全部は、切替スイッチのカバー部材の半円部の外周面に接触していない状態となっている。
【００３２】
なお、この例では、操作部が、蓋部材を閉鎖動作させる前から中央位置よりも上側の回動限位置の側の位置（上側の回動限位置を除く）にあるときには、蓋部材を閉鎖動作させていくと、操作部は、突出部材に当接するとともに、この突出部材に押し上げられて、上側の回動限位置まで回動することになり、このとき、蓋部材は、前述したように、全閉位置まで閉鎖動作した状態となる。
【００３３】
また、この例では、操作部が、蓋部材を閉鎖動作させる前から中央位置よりも下側の回動限位置の側の位置（下側の回動限位置を除く）にあるときには、蓋部材を閉鎖動作させていくと、操作部は、突出部材に当接するとともに、この突出部材に押し下げられて、下側の回動限位置まで回動することになるが、このとき、蓋部材は、前述したように、全閉位置の手前（言い換えると、直前）まで閉鎖動作した状態となる。
【００３４】
なお、この例において、蓋部材全閉動作阻止手段は、蓋部材と別体となっている突出部材ではなく、蓋部材と一体となっている突出部であってもよい。
【００３５】
本発明において、内部に切替スイッチが収納配置される収納部材の形式、構造は任意なものでよく、この収納部材は、例えば、開閉体の開閉移動を案内するための案内部材であってもよく、内部に切替スイッチ（電源切替装置を構成する他の部品等を含む）を収納配置するための専用のケース部材（言い換えると、収納ボックス）等でもよい。
【００３６】
前者の場合において、案内部材が開閉体の幅方向両側に配置されているものである場合には、切替スイッチは、開閉体の幅方向両側に配置されている左右の案内部材のうち、右側の案内部材の内部に収納配置されるものでもよく、左側の案内部材の内部に収納配置されるものでもよい。
【００３７】
前者の場合において、蓋部材は、右開きの扉体としてもよく、左開きの扉体としてもよい。なお、扉体とは、ヒンジを中心に回動自在な開き戸でもよく、引戸でもよいが、引戸の場合には、戸袋のスペースが必要となるため、扉体は、開き戸とすることが好ましい。
【００３８】
蓋部材を左開きの開き戸とした場合には、蓋部材を開放動作させて電源切替作業や電源切替装置のメンテナンス作業等を行うとき、開閉装置の管理者等は、開放動作されて左側に存在する蓋部材と、右側に存在する壁等の建物躯体との間の窮屈なスペースで作業を行わなければならなくなるおそれがある。このため、蓋部材は、右利きの人間が多いことも考慮すると、右開きの開き戸であることがより好ましい。
【００３９】
以上のことを考慮すると、案内部材が開閉体の幅方向両側に配置されているものである場合には、切替スイッチは、開閉体の幅方向両側に配置されている左右の案内部材のうち、右側の案内部材の内部に収納配置するとともに、蓋部材は、右開きの開き戸とすることがより好ましい。
【００４０】
本発明において、内部に切替スイッチを収納配置するための収納部材を、上述したように、開閉体の開閉移動を案内するための案内部材とした場合には、切替スイッチは、同じ断面形状が長手方向に連続している断面ハット形状の台座部材を介して直接又はさらに取付部材を介して案内部材の内部に収納配置するようにしてもよく、しなくてもよい。
【００４１】
前者の場合において、台座部材の形式、構造は任意なものでよく、その一例は、台座部材の断面形状が、切替スイッチが配置される平坦部と、この平坦部の幅方向の両端部から開口部側とは反対の側に９０度屈曲した左右の第１屈曲部と、それぞれの第１屈曲部の先端部から前記幅方向外側に９０度屈曲した左右の第２屈曲部とからなっているものである。
【００４２】
この例では、台座部材の平坦部（言い換えると、上面部又は水平部）の下側には、この平坦部と左右の第１屈曲部（言い換えると、垂下部）とにより、空間部が形成されるため、この空間部を、切替スイッチを含む電源切替装置の構成部品の配線スペース（言い換えると、電源線等を配置するスペース）とすることができるようになる。
【００４３】
なお、第２電源の電源プラグが差し込まれるコンセントを電源切替装置に備えるようにした場合において、このコンセントは、台座部材の平坦部に配置して切替スイッチと一体化するようにしてもよく、しなくてもよい。
【００４４】
前者の場合によると、切替スイッチ及びコンセントについては、予め工場でこれらを一体化させた形で組み立てておくことができ、開閉装置の設置場所である現場では、工場で一体化された切替スイッチ及びコンセントを配置する作業を行うだけで済むようになる。
【００４５】
すなわち、これにより、切替スイッチ及びコンセントを案内部材の内部に収納配置する作業や案内部材の内部から取り外す作業が、一体化しない場合と比較して容易なものとなる。
【００４６】
ここで、切替スイッチ及びコンセントを一体化するとは、例えば、台座部材の上面部に、切替スイッチ及びコンセントを載置固定（言い換えると、載設）すること等である。
【００４７】
なお、案内部材の内部に収納配置したときの台座部材の長手方向は、上下方向となるようにしてもよく、左右方向となるようにしてもよい。
【００４８】
後者の場合には、前者の場合と比較して、案内部材の左右方向である幅方向（言い換えると、開閉体の開閉移動方向と直交する方向）の寸法を大きくする必要があるため、案内部材の内部に収納配置したときの台座部材の長手方向は、上下方向となるようにすることが好ましい。
【００４９】
なお、案内部材の内部に収納配置したときの台座部材の長手方向を上下方向とした場合には、切替スイッチとコンセントは、上から切替スイッチ、コンセントの順に縦並びに配置してもよく、上からコンセント、切替スイッチの順に縦並びに配置してもよい。
【００５０】
ここで、第２電源が床等の上に配置されるものである場合には、非常時には、この第２電源から延びる電源線（言い換えると、電気コード）の先端部となっている電源プラグを、コンセントに差し込むことになる。
【００５１】
このため、上から切替スイッチ、コンセントの順に縦並びに配置した場合には、上からコンセント、切替スイッチの順に縦並びに配置した場合と比較して、第２電源から延ばす電源線の長さをより短くすることができる。
【００５２】
なお、切替スイッチ及びコンセントを除く電源切替装置の構成部品も、台座部材の平坦部に配置して切替スイッチ及びコンセントと一体化するようにしてもよく、しなくてもよい。
【００５３】
本発明において、案内部材の形式、構造等は任意なものでよく、例えば、案内部材は、開閉体の幅方向の端部がスライド自在に挿入される挿入部と、少なくとも切替スイッチ及びコンセントが収納配置される収納部と、を含んで構成されるものとしてもよい。
【００５４】
この例において、挿入部と収納部とは、仕切部によって仕切られるようにしてもよく、しなくてもよい。
【００５５】
前者の場合によると、挿入部から埃や雨水等が流入する場合があっても、これらは、仕切部で遮られて収納部へ流入することが阻止される。すなわち、これによると、収納部に収納配置されている切替スイッチ及びコンセント等を外部から保護することができるようになる。
【００５６】
なお、案内部材は、開閉体の幅方向の端部がスライド自在に挿入される挿入部のみからなるものとし、この挿入部に少なくとも切替スイッチ及びコンセントが収納配置されるものとしてもよい。
【００５７】
以上の本発明において、第１電源とは、商用電源でもよく、長時間の電力供給が可能な発電機（例えば、ディーゼル発電機、ガソリン発電機、太陽光発電機、風力発電機等）でもよい。一方、第２電源は、蓄電池（言い換えると、バッテリ）でもよく、上記発電機（長時間の電力供給が可能であることは必ずしも必要ではない）でもよい。
【００５８】
なお、本発明において、第２電源は、移動自在となっていてもよく、いなくてもよい。
【００５９】
前者の場合によると、通常時には、第２電源を開閉装置の設置場所とは別の場所（例えば、物置や倉庫等）に保管しておき、非常時には、この第２電源を開閉装置の設置場所まで移動させるという運用が可能となる。
【００６０】
これにより、開閉装置の内部あるいはその近傍に第２電源を常備しておく必要がないため、第２電源の設置コストも削減化できるようになる。
【００６１】
特に、現場に開閉装置が複数個設置されるものである場合には、それぞれの開閉装置の内部あるいはその近傍に、それぞれの開閉装置専用の第２電源を常備しておく必要がなく、複数個の開閉装置で１個の第２電源を共用（言い換えると、使い回し）することが可能となる。これにより、第２電源の設置コストの大幅な削減化を図ることができるようになる。
【００６２】
なお、後者の場合（第２電源が移動自在となっていない場合）には、第２電源が、案内部材の内部に収納配置可能な形状、寸法を有するものであれば、この第２電源は、切替スイッチ及びコンセント等とともに案内部材の内部に収納配置するようにしてもよい。
【００６３】
なお、切替スイッチは、電源の切替操作をする者が操作し易い高さ位置に配置することが好ましい。例えば、切替スイッチは、床や地面から約１３０ｃｍの高さ位置に配置することが好ましい。
【００６４】
なお、本発明において、現場に開閉装置が複数個設置されるものである場合には、切替スイッチは、それぞれの開閉装置毎に設けるようにしてもよく、しなくてもよい。
【００６５】
後者の場合によると、切替スイッチの設置個数は１個で済み、この１個の切替スイッチの操作で全部の開閉装置の電源を切り替えることが可能となる。
【００６６】
本発明は、シャッターカーテンが開閉体となっているシャッター装置や、スライドするドアが開閉体となっているオーバースライディングドア（オーバーヘッドドア）装置、防煙垂れ壁装置、引き戸装置等の各種の開閉装置に適用できる。
【００６７】
なお、上記シャッター装置は、前述した操作装置の操作によりシャッターカーテンが開閉移動、移動停止を行う管理用シャッター装置でもよく、あるいは、全閉となったシャッターカーテンにより防災区画を形成する防災用シャッター装置でもよく、あるいは、管理及び防災併用のシャッター装置でもよく、さらには、車庫用シャッター装置、窓用シャッター装置等でもよい。
【００６８】
なお、本発明に係る開閉装置の電源切替装置は、切替スイッチの操作部が水平姿勢となる中央位置にあるときにのみ、蓋部材が全閉位置まで閉鎖動作することが阻止されるようにしてもよい。
【００６９】
このような作用とするためには、例えば、切替スイッチの操作部が中央位置にあるとき、この操作部が収納部材の開口部の開口面から突出する（言い換えると、はみ出る）ように、切替スイッチを収納部材に配置するようにすればよい。
【００７０】
例えば、切替スイッチと収納部材との間に、この間の距離を調整するためのスペーサを配置するよいにしてもよい。
【発明の効果】
【００７１】
本発明によると、停電が復旧したとき、開閉装置の電源切替装置の切替スイッチを操作して電力を供給するための電源を第２電源から第１電源へ切り替えることを忘れるのを防止することができるようになるという効果を得られる。
【図面の簡単な説明】
【００７２】
【図１】図１は、本発明の一実施形態に係る開閉装置となっているシャッター装置の全体を示す正面図である。
【図２】図２は、図１で示されているガイドレールのうち、内部に本実施形態に係る電源切替装置や操作装置が収納配置されている部分の正面部を破断して示した図１と同様の図である。
【図３】図３は、図１のＳ３−Ｓ３線断面図であって、案内部材であるガイドレールに形成された開口部を開閉するための蓋部材を開放したときを示す図である。
【図４】図４は、構成物である切替スイッチやコンセント等が台座部材に載置固定されて一体となっている図３に示された電源切替装置の正面図である。
【図５】図５は、図４で示されている電源切替装置の側面図である。
【図６】図６は、図４及び図５で示されている電源切替装置とこの電源切替装置に接続されている周辺装置との配線図である。
【図７】図７は、図４で示されている電源切替装置の切替スイッチの操作部を下向きに回動させたときを示す図である。
【図８】図８は、図７で示されている電源切替装置の側面図である。
【図９】図９は、蓋部材の裏面から収納部材であるガイドレール側へ突出して配置されている蓋部材全閉動作阻止手段となっている突出部材単独の斜視図である。
【図１０】図１０は、切替スイッチの操作部が、この操作部の回動範囲のうち、中央位置よりも上側の位置から、上側の回動限位置までの範囲の途中にあったときに、この操作部の摘み部材が、閉鎖動作させた蓋部材の突出部材に当接した直後の電源切替装置の側面図である。
【図１１】図１１は、図１０で示されている操作部が、蓋部材をさらに閉鎖動作させたことにより、上方向に回動したときを示す図１０と同様の図である。
【図１２】図１２は、図１１で示されている操作部が、蓋部材をさらに閉鎖動作させたことにより、上側の回動限位置まで回動したときを示す図１０と同様の図である。
【図１３】図１３は、切替スイッチの操作部が、この操作部の回動範囲のうち、中央位置にあったときに、この操作部が、閉鎖動作させた蓋部材の突出部材に当接した直後の電源切替装置を示す図１０と同様の図である。
【図１４】図１４は、切替スイッチの操作部が、この操作部の回動範囲のうち、中央位置よりも下側の位置から、下側の回動限位置までの範囲の途中にあったときに、この操作部が、閉鎖動作させた蓋部材の突出部材に当接し、下側の回動限位置まで回動したときの電源切替装置を示す図１０と同様の図である。
【図１５】図１５は、電源切替装置のコンセントが、このコンセントとパイロットランプが一体となって配置されている副台座部材に取り付けられているキャップ部材で覆われているときを示す図である。
【図１６】図１６は、本実施形態に係る第２電源となっている移動自在な発電機をシャッター装置まで移動し、この発電機の電源プラグを電源切替装置のコンセントに差し込んだときを示す図２と同様の図である。
【図１７】図１７は、図１６で示されている発電機の電源プラグを電源切替装置のコンセントに差し込むときを示す図３と同様の図である。
【発明を実施するための形態】
【００７３】
以下に本発明を実施するための形態を図面に基づいて説明する。本発明の一実施形態に係る開閉装置は、開閉体がシャッターカーテンとなっている管理及び防災の併用（兼用）シャッター装置である。すなわち、本実施形態に係るシャッター装置は、防煙等の防災機能を有しているシャッターカーテンが火災等の異常事態の発生時に閉じ移動することにより、全閉となったこのシャッターカーテンによって建物等の構造物内に防災区画を形成するための防災用シャッター装置としての機能と、シャッターカーテンにより出入口等の開口部を開閉するために、シャッターカーテンが操作装置の操作により開き移動、閉じ移動、移動停止を行う管理用シャッター装置としての機能と、を有している。
【００７４】
図１には本実施形態に係るシャッター装置の全体が示されており、この図１は、開閉移動方向が上下方向になっていて、下向きに閉じ移動するシャッターカーテン１が全閉となった（言い換えると、全閉位置に達している）ときを示している。シャッターカーテン１で開閉される開口部は、建物に形成された出入口２であり、この出入口２は、壁等の左右の建物躯体３と、全閉となったときのシャッターカーテン１の下端部が当たる相手部材となっている床４と、天井部材５とで囲まれている。左右の建物躯体３Ａ，３Ｂには、シャッターカーテン１の左右方向の両端部１Ｃ，１Ｄ、言い換えると、シャッターカーテン１の幅方向の両端部１Ｃ，１Ｄがスライド自在に挿入された左右一対の案内部材であるガイドレール６が取り付けられており、これらのガイドレール６に案内されてシャッターカーテン１は上下に開閉移動する。なお、図１は、全閉になったシャッターカーテン１によって仕切られる２つの空間（室内空間と室外空間）のうち、室内空間の側（言い換えると、屋内側）から見たシャッター装置の全体正面図となっている。
【００７５】
出入口２に対して天井部材５で仕切られている天井裏空間７には、シャッターボックス８が配置されており、このシャッターボックス８は、天井裏空間７に存在する下がり壁等の建物躯体にボルト等の結合具で結合されている。シャッターボックス８の内部には巻取軸１１が水平に収納配置され、この巻取軸１１は、シャッターボックス８の図１で示されている左右の側面部８Ａ，８Ｂに回転自在に支持されている。また、図１に示されているように、巻取軸１１の一方の端部には、スプロケットホイールとローラチェーンによる駆動力伝達手段１２を介して開閉機１３が接続されている。シャッターカーテン１を駆動させる（直接的には、巻取軸１１を駆動させる）ための駆動装置となっているこの開閉機１３の駆動軸１４の回転力は、この駆動軸１４に取り付けられた駆動スプロケットホイールと、巻取軸１１の上記一方の端部に取り付けられた被動スプロケットホイールと、これらのスプロケットホイールの間に架け渡された無端ローラチェーンとによる駆動力伝達手段１２を経て巻取軸１１に伝達される。
【００７６】
なお、本実施形態の開閉機１３は、図１に示されているように、シャッターボックス８の左右の側面部８Ａ，８Ｂのうち、一方の側面部８Ｂに結合されたブラケット部材１５に取り付けられている。
【００７７】
また、シャッターカーテン１は巻取軸１１に巻回されているとともに、シャッターカーテン１の上端は巻取軸１１の外周面に結合されている。また、シャッターカーテン１における巻取軸１１より下側の部分は、天井部材５に配置されているまぐさ１６に設けられたスリットを通って天井部材５の下側へ垂下され、さらに、シャッターカーテン１の幅方向の両端部１Ｃ，１Ｄは、左右のガイドレール６Ａ，６Ｂにスライド自在に挿入されている。まぐさ１６は、互いに対向配置された図示されないまぐさ部材により形成され、これらのまぐさ部材の間がスリットとなっている。
【００７８】
図１に示されているように、電動モータ装置とブレーキ装置とを含んで構成されている開閉機１３の下部には、少なくともこの開閉機１３の駆動制御を実行するための制御装置１７が配置されており、また、この開閉機１３の上部には、自動閉鎖装置１８が配置されている。この自動閉鎖装置１８は、火災等の災害の発生時において、オンの状態となっていた開閉機１３のブレーキ装置をオフの状態に機械式に制御することにより、全開位置又は開閉方向途中位置で停止していたシャッターカーテン１を自動的に閉じ移動させて全閉とし、防煙性及び／又は防火性を有しているシャッターカーテン１により図１の出入口２を閉鎖するためのものである。
【００７９】
また、シャッターカーテン１は、シャッターカーテン１の大部分の面積を占めていて、上端が巻取軸１１に結合されているカーテン本体１Ａと、このカーテン本体１Ａの下端部に設けられた座板１Ｂとを有するものとなっている。本実施形態のカーテン本体１Ａは、多数のスラットを上下に連設することによって形成されている。
【００８０】
図１で示した左右のガイドレール６Ａ，６Ｂのうち、一方のガイドレール６Ｂの内部には、開閉機１３によるシャッターカーテン１の移動操作・停止操作を行うための点線で示されている操作装置１９、すなわち、シャッターカーテン１を出入口２に対して上向きに開き移動させることと、下向きに閉じ移動させることと、移動停止させることとを行わせるための操作装置１９が収納配置されている。
【００８１】
また、図１に示されているように、ガイドレール６Ｂの内部には、具体的な構造を後述する本発明の一実施形態に係る点線で示されている電源切替装置５０も収納配置されている。この電源切替装置５０は、非常時になったとき、制御装置１７、開閉機１３及び操作装置１９等に電力を供給するための電源を第１電源から第２電源へ切り替えるためのものである。
【００８２】
なお、図１で示されているように、ガイドレール６Ｂの正面部３４における操作装置１９が収納配置されている部分と対応する部分は、開口部３４Ａとなっており、この開口部３４Ａは、取手部材３８を有していて図示しないヒンジを中心に回動自在となっている蓋部材３７によって開閉自在となっている。通常時において、この開口部３４Ａは、蓋部材３７により閉じられている。
【００８３】
また、図１で示されているように、ガイドレール６Ｂの正面部３４における電源切替装置５０が収納配置されている部分と対応する部分は、ガイドレール６Ｂの外部から電源切替装置５０を収納配置するための開口部３４Ｂとなっており、この開口部３４Ｂは、取手部材４１を有していて後述する図３に示すヒンジ４２を中心に回動自在となっている蓋部材４０によって開閉自在となっている。通常時において、この開口部３４Ｂも、蓋部材４０により閉じられている。
【００８４】
図２は、図１で示されているガイドレール６Ｂの正面部３４のうち、内部に上述した操作装置１９や電源切替装置５０が収納配置されている部分を破断した図１と同様の図である。
【００８５】
この図２で示されているように、操作装置１９には、上から「開」ボタン１９Ａと、「停」ボタン１９Ｂと、「閉」ボタン１９Ｃとが設けられており、それぞれのボタンが操作されることにより、前述した制御装置１７へは、「開」信号、「停」信号、「閉」信号の制御信号が送信される。これらの制御信号を受信した制御装置１７は、開閉機１３の図示しない電動モータ装置とブレーキ装置の動作制御を実行することになる。
【００８６】
本実施形態では、通常時において、制御装置１７、開閉機１３及び操作装置１９等に電力を供給するための本実施形態に係る第１電源は、図１で示されている商用電源２０となっている。一方、非常時において、制御装置１７、開閉機１３及び操作装置１９等に電力を供給するための本実施形態に係る第２電源は、後述する図６や図１６に示す発電機８０となっている。
【００８７】
本実施形態では、電源切替装置５０は、非常時になったとき、制御装置１７、開閉機１３及び操作装置１９等に電力を供給するための電源を商用電源２０から発電機８０へ切り替えるためのものとなっている。
【００８８】
図３は、図１のＳ３−Ｓ３線断面図（言い換えると、ガイドレール６Ｂ及び壁３Ｂの平断面図）であって、通常時において開口部３４Ｂを覆っている蓋部材４０を開放したときを示す図である。
【００８９】
この図３で示されているように、本実施形態に係るガイドレール６Ｂは、シャッターカーテン１のカーテン本体１Ａの幅方向の端部１Ｄがスライド自在に挿入される溝部である挿入部３１と、この挿入部３１よりも壁３Ｂ側に配置されていて、内部に電源切替装置５０が収納配置されている収納部３２と、を含んで構成されており、挿入部３１と収納部３２とは、板材で形成されている仕切部３３によって仕切られている。なお、ガイドレール６Ｂは、アンカー部材４４で壁３Ｂに直接取り付けられている。
【００９０】
また、図３に示されているように、台座部材６１に載置固定されている電源切替装置５０は、取付部材６０を介してガイドレール６Ｂの背面部（言い換えると、室外側の側面部）３５の内側面部３５Ａに取り付けられている。
【００９１】
取付部材６０は、溶着あるいはビス等の止着具等によりガイドレール６Ｂの背面部３５の内側面部３５Ａに取り付けられる平坦なベース部（言い換えると、底面部）６０Ａと、このベース部６０Ａの幅方向の両端部から開口部３４Ｂ側に９０度屈曲した左右の第１屈曲部（言い換えると、立上り部）６０Ｂと、これら左右の第１屈曲部６０Ｂの先端部（言い換えると、上端部）から互いに近づく方向（取付部材６０の幅方向内側）に９０度屈曲した左右の第２屈曲部（言い換えると、リップ部）６０Ｃとからなっている。言い換えると、取付部材６０は、開口部３４Ｂ側に開口したチャンネル材６０であり、このチャンネル材６０の先端部には、互いに近づく方向に延出した一対のリップ部６０Ｃが設けられている。
【００９２】
また、台座部材６１は、電源切替装置５０を構成する後述する切替スイッチ、ブレーカー、パイロットランプ（言い換えると、電源ランプ）、コンセント、端子台等が載置固定される平坦部（言い換えると、上面部）６１Ａと、この平坦部６１Ａの幅方向の両端部から開口部３４Ｂ側とは反対の側に９０度屈曲した左右の第１屈曲部（言い換えると、垂下部）６１Ｂと、これら左右の第１屈曲部６１Ｂの先端部（言い換えると、下端部）から互いに遠ざかる方向（言い換えると、平坦部６１Ａの幅方向外側）に９０度屈曲した左右の第２屈曲部６１Ｃとからなっている。
【００９３】
台座部材６１の取付部材６０への載置固定は、この台座部材６１の左右の第２屈曲部６１Ｃを取付部材６０の左右の第２屈曲部６０Ｃに載置するともに、これら左右の第２屈曲部６１Ｃを取付部材６０の左右の第２屈曲部６０Ｃにビス等の止着具で止着することにより行う。
【００９４】
このように、電源切替装置５０の構成部品は、同じ断面形状が長手方向（後述する図４では上下方向）に連続している断面ハット形状の台座部材６１を介してさらに取付部材６０を介してガイドレール６Ｂの内部に収納配置されており、台座部材６１の断面形状は、電源切替装置５０の構成部品が配置される平坦部６１Ａと、この平坦部６１Ａの幅方向（後述する図４では左右方向）の両端部から開口部３４Ｂ側とは反対の側に９０度屈曲した左右の第１屈曲部６１Ｂと、それぞれの第１屈曲部６１Ｂの先端部から平坦部６１Ａの幅方向外側に９０度屈曲した左右の第２屈曲部６１Ｃとからなっている。
【００９５】
なお、図１や図３から分かるように、ガイドレール６Ｂの正面部（言い換えると、室内側の側面部）３４における電源切替装置５０と対向する部分には、非常時に手を入れて電源切替装置５０を操作するための前述の開口部３４Ｂが形成されている。
【００９６】
この開口部３４Ｂは、前述したように、通常時には、図３に示されているヒンジ４２により開閉自在となっている蓋部材（言い換えると、カバー部材）４０で閉じられている。軸４１Ａを中心に回動自在となっている蓋部材４０の取手部材４１には、この蓋部材４０を施錠するためのラッチ４１Ｂが設けられており、蓋部材４０を閉じて取手部材４１を回動させ、ガイドレール６Ｂの正面部３４の内側面部３４Ｃに取り付けられているラッチ受け部４３の溝部４３Ａに、ラッチ４１Ｂを載置、係合させることにより、蓋部材４０は施錠されるようになっている。
【００９７】
図４は、図２で示されている台座部材６１に載置固定されている電源切替装置５０単独の拡大正面図であり、図５は、この図４で示されている電源切替装置５０の右側面図である。
【００９８】
これらの図４及び図５に示されているように、本実施形態に係る電源切替装置５０は、第１端子台５１と、ブレーカー５２と、切替スイッチ５３と、左右２個のパイロットランプ５４，５５と、コンセント５６と、を含んで構成されており、これらの構成部品は、長手方向が上下方向となっている台座部材６１の上面部６１Ａに、上から、第１端子台５１、ブレーカー５２、切替スイッチ５３、左右２個のパイロットランプ５４，５５、コンセント５６の順に縦並びに載置固定されている。
【００９９】
図６は、本実施形態に係る電源切替装置５０の配線図である。
【０１００】
この図６から分かるように、ブレーカー５２は、商用電源２０からの電力供給を遮断するためのものである。
【０１０１】
第１端子台５１には、商用電源２０から延びるＲ相の電源線Ｒ、Ｓ相の電源線Ｓ、Ｔ相の電源線Ｔが接続される端子５１Ａ，５１Ｂ，５１Ｃと、制御装置１７及び操作装置１９へ延びるＲ相の電源線Ｒ１、Ｓ相の電源線Ｓ１、Ｔ相の電源線Ｔ１が接続される端子５１Ｄ，５１Ｅ，５１Ｆと、ブレーカー５２へ延びるＵ相の電源線Ｕ１、Ｖ相の電源線Ｖ１、Ｗ相の電源線Ｗ１が接続される端子５１Ｇ，５１Ｈ，５１Ｉと、切替スイッチ５３から延びるＲ相の電源線Ｒ１、Ｓ相の電源線Ｓ１、Ｔ相の電源線Ｔ１が接続される端子５１Ｊ，５１Ｋ，５１Ｌと、が設けられている。
【０１０２】
また、第２端子台５７には、切替スイッチ５３及びパイロットランプ５５へ延びるＲ相の電源線ＲＧ、切替スイッチ５３及びパイロットランプ５５へ延びるＴ相の電源線ＴＧ、切替スイッチ５３へ延びるＳ相の電源線ＳＧが接続される端子５７Ａ，５７Ｂ，５７Ｃと、コンセント５６へ延びるＲ相の電源線ＲＧ、Ｓ相の電源線ＳＧ、Ｔ相の電源線ＴＧが接続される端子５７Ｄ，５７Ｅ，５７Ｆと、発電機８０からの電力を切替スイッチ５３及びパイロットランプ５５への供給するための３本の電源線２５，２６，２７の両端部が接続される端子５７Ｇ，５７Ｈ，５７Ｉ，５７Ｊ，５７Ｋ，５７Ｌと、が設けられている。
【０１０３】
本実施形態では、電源線２５の両端部が端子５７Ｇ，５７Ｊとに接続され、電源線２６の両端部が端子５７Ｈ，５７Ｋとに接続され、電源線２７の両端部が端子５７Ｉ，５７Ｌとに接続され、このため、正相接続となっている。なお、逆相接続とするためには、電源線２５の両端部を端子５７Ｇ，５７Ｌとに接続し、電源線２６の両端部を端子５７Ｈ，５７Ｋとに接続され、電源線２７の両端部を端子５７Ｉ，５７Ｊとに接続する。
【０１０４】
ブレーカー５２から延びるＵ相の電源線Ｕ１とＷ相の電源線Ｗ１は、切替スイッチ５３とパイロットランプ５４とに接続され、ブレーカー５２から延びるＶ相の電源線Ｖ１は、切替スイッチ５３に接続されている。
【０１０５】
本実施形態に係る切替スイッチ５３は、図６で示されているように、商用電源２０側である上側のＡ接点５３Ａと、発電機８０側である下側のＢ接点５３Ｂと、を組み合わせたＣ接点（双投型）のナイフスイッチとなっている。
【０１０６】
なお、前述したように、図３で示されているガイドレール６Ｂの収納部３２には、電源切替装置５０が収納配置されており、このため、本実施形態では、ガイドレール６Ｂは、内部に電源切替装置５０を構成する切替スイッチ５３が収納配置される収納部材となっている。
【０１０７】
このように、本実施形態では、電源切替装置５０を構成する切替スイッチ５３は、シャッターカーテン１の幅方向両側に配置されている左右のガイドレール６Ａ，６Ｂのうち、右側のガイドレール６Ｂの内部に収納配置されており、蓋部材４０は、右開きの扉体となっている。
【０１０８】
本実施形態では、切替スイッチ５３は、図５で示されているように、上下方向に回動（言い換えると、運動）する操作部６２を有している。この操作部６２は、図５及び図６から分かるように、台座部材６１の平坦部６１Ａに載置固定されているベース部５３Ｃに配置されている図示しない３個の回動中心軸のそれぞれを中心に回動自在となっている３個のブレード（言い換えると、刃）部材６５と、これらのブレード部材６５の先端部に跨って取り付けられている摘み部材（言い換えると手掛け部材）６４とを有している。
【０１０９】
上述した３個のブレード部材６５の大部分は、図１及び図３で示されている開口部３４Ｂ側の部分が半円部６３Ａとなっているカバー部材６３で覆われており、それぞれのブレード部材６５の上部は、カバー部材６３の半円部６３Ａの外周面の周方向に形成された図４で示されている３個の溝部６３Ｂのそれぞれから突出している。これにより、３個のブレード部材６５の先端部に跨って取り付けられている摘み部材６４は、３個のブレード部材６５が図５で示されている３個の溝部６３Ｂに案内されて、上下方向に約１８０度回動自在となっている。
【０１１０】
本実施形態では、図５で示されているように、回動自在となっている摘み部材６４が実線で示された姿勢となっているときが、操作部６２が一方の回動限位置（言い換えると、上方向の回動限位置）に達したときであり、回動自在となっている摘み部材６４が２点差線で示された姿勢となっているときが、操作部６２が他方の回動限位置（言い換えると、下方向の回動限位置）に達したときである。
【０１１１】
言い換えると、図示されていないが、操作部６２の回動範囲のうちの中央位置で水平姿勢となっている摘み部材６４を摘んでこの摘み部材６４を上方向に約９０度回動させることにより、操作部６２が上方向（言い換えると、上側）の回動限位置に達することになり、操作部６２の回動範囲のうちの中央位置で水平姿勢となっている摘み部材６４を摘んでこの摘み部材６４を下方向に約９０度回動させることにより、操作部６２が下方向（言い換えると、下側）の回動限位置に達することになる。
【０１１２】
本実施形態では、切替スイッチ５３の操作部６２を上方向の回動限位置まで回動させることにより、制御装置１７、開閉機１３及び操作装置１９等に電力を供給するための電源を、第１電源である商用電源２０とすることができ、切替スイッチ５３の操作部６２を下方向の回動限位置まで回動させることにより、制御装置１７、開閉機１３及び操作装置１９等に電力を供給するための電源を、第２電源である発電機８０とすることができる。
【０１１３】
本実施形態では、通常時においては、切替スイッチ５３の操作部６２を上方向の回動限位置まで回動させた状態のままにし、制御装置１７、開閉機１３及び操作装置１９等に電力を供給するための電源を商用電源２０としている。一方、停電等の非常時になったときには、切替スイッチ５３の操作部６２を、上方向の回動限位置から下方向の回動限位置まで約１８０度回動させることで、制御装置１７、開閉機１３及び操作装置１９等に電力を供給するための電源を商用電源２０から発電機８０とすることができる。
【０１１４】
このように、切替スイッチ５３の操作部６２は、上下方向に回動自在となっており、操作部６２を一方の回動限位置である上側の回動限位置まで回動させることにより、制御装置１７、開閉機１３及び操作装置１９等には、第１電源である商用電源２０からの電力が供給され、操作部６２を他方の回動限位置である下側の回動限位置まで回動させることにより、制御装置１７、開閉機１３及び操作装置１９等には、第２電源である発電機８０からの電力が供給されるものとなっている。
【０１１５】
このように、切替スイッチ５３の操作部６２を下方向に回動させることにより、制御装置１７、開閉機１３及び操作装置１９等に電力を供給するための電源が、第１電源から第２電源へ切り替わるようになっており、切替スイッチ５３の操作部６２を上方向に回動させることにより、制御装置１７、開閉機１３及び操作装置１９等に電力を供給するための電源が、第２電源から第１電源へ切り替わるようになっている。
【０１１６】
以上のように、本実施形態では、電源切替装置５０の切替スイッチ５３は、制御装置１７、開閉機１３及び操作装置１９等に電力を供給するための電源を、商用電源２０から発電機８０へ、あるいは、発電機８０から商用電源２０へ切替操作するためカバー付きのナイフスイッチとなっている。
【０１１７】
また、本実施形態に係る電源切替装置５０を構成する左右２個のパイロットランプ５４，５５、コンセント５６は、図４及び図５に示されているように、台座部材６１に直接取り付けられているものではなく、副台座部材７０を介して台座部材６１に取り付けられている。
【０１１８】
この副台座部材７０は、左右２個のパイロットランプ５４，５５、コンセント５６が載置固定される平坦部（言い換えると、上面部）７０Ａと、この平坦部７０Ａの幅方向（図４では左右方向）の両端部から台座部材６１の側（言い換えると、開口部３４Ｂ側とは反対の側）に９０度屈曲した第１屈曲部（垂下部）７０Ｂと、左右の第１屈曲部の先端部（言い換えると、下端部）から互いに遠ざかる方向（言い換えると、平坦部７０Ａの幅方向外側）に９０度屈曲した左右の第２屈曲部７０Ｃとからなっている（後述する図１７も参照）。
【０１１９】
なお、副台座部材７０の台座部材６１への載置固定は、この副台座部材７０の左右の第２屈曲部７０Ｃを、台座部材６１の平坦部６１Ａに載置するとともに、この平坦部６１Ａにビス等の止着具で止着することにより行う（後述する図１７も参照）。
【０１２０】
ＬＥＤランプとなっている図４で示されている左右２個のパイロットランプ５４，５５のうち、左側のパイロットランプ５４は、図６から分かるように、第１電源である商用電源２０からの電力供給状態を表示するための第１表示装置となっており、右側のパイロットランプ５５は、第２電源である発電機８０からの電力供給状態を表示するための第２表示装置となっている。
【０１２１】
本実施形態では、ブレーカー５２のスイッチ５２Ａが、自動的にあるいは人為的に図５で示されている上向きの状態（言い換えると、オン（入）の状態）から下向きの状態（言い換えると、オフ（切）の状態）とならない限り、左側のパイロットランプ５４は商用電源２０に接続された状態となるため、商用電源２０からの電力が供給可能状態となっているときには、左側のパイロットランプ５４は、商用電源２０からの電力で点灯し続けることになる。
【０１２２】
一方、停電となったときには、左側のパイロットランプ５４は消灯した状態となるが、停電が復旧したときには、左側のパイロットランプ５４は、商用電源２０からの電力で再び点灯することになる。
【０１２３】
このように、本実施形態では、ブレーカー５２のスイッチ５２Ａが自動的にあるいは人為的にオンの状態からオフの状態とならない限り、商用電源２０からの電力が現在供給可能となっているかどうかを、左側のパイロットランプ５４の状態から判断することができるようになる
【０１２４】
本実施形態では、コンセント５６は、非常時において、制御装置１７、開閉機１３及び操作装置１９等に電力を供給するための電源を、図６に示す発電機８０とするために、この発電機８０の電源線８１の終端部である電源プラグ８２が差し込まれるものである。
【０１２５】
したがって、右側のパイロットランプ５５は、発電機８０の電源プラグ８２を電源切替装置５０のコンセント５６に差し込んだ後、この発電機８０の駆動を開始させることにより点灯するものであり、この右側のパイロットランプ５５は、発電機８０の電源プラグ８２を電源切替装置５０のコンセント５６から抜いたり、この発電機８０の駆動を停止させるまで点灯し続ける。
【０１２６】
このように、本実施形態では、パイロットランプ５４は、切替スイッチ５３の操作に関係なく（言い換えると、切替スイッチ５３とは独立して）、商用電源２０と常時回路接続されており、パイロットランプ５５は、切替スイッチ５３の操作に関係なく、電源プラグ８２がコンセント５６に差し込まれた状態の発電機８０と常時回路接続されている。
【０１２７】
また、本実施形態では、前述したように、本実施形態に係る第１表示装置となっている左側のパイロットランプ５４、本実施形態に係る第２表示装置となっている右側のパイロットランプ５５及び本実施形態に係る第２電源である発電機８０の電源プラグ８２が差し込まれるコンセント５６は、副台座部材７０に載置固定されて一体化（言い換えると、ユニット化）されている。
【０１２８】
また、図４で示されているように、左右に横並びに配置されているパイロットランプ５４，５５は、コンセント５６の上側であってこのコンセント５６の近傍に配置されている。
【０１２９】
これにより、一体化させたパイロットランプ５４，５５及びコンセント５６のユニットをコンパクト化することができる。
【０１３０】
なお、パイロットランプ５４，５５が左右に横並びに配置されているのは、商用電源２０からの電力供給状態と発電機８０からの電力供給状態は、比較して見られると都合が良いことが多いからである。
【０１３１】
また、パイロットランプ５４，５５がコンセント５６の近傍に配置されているのは、パイロットランプ５５とコンセント５６とは、図６から分かるように、配線において密接に関連するものであるからである。
【０１３２】
さらに、パイロットランプ５４，５５が、コンセント５６の上側に配置されているのは、パイロットランプ５４，５５をコンセント５６の下側に配置した場合には、電源プラグ８２をコンセント５６に差し込んだとき、この電源プラグ８２から垂れ下がる電源コード８１がパイロットランプ５４及び／又はパイロットランプ５５の邪魔となり、パイロットランプ５４及び／又はパイロットランプ５５が見えにくくなるおそれがある。
【０１３３】
また、本実施形態では、ガイドレール６Ｂの内部に収納配置されている電源切替装置５０を構成する第１端子台５１、ブレーカー５２及び切替スイッチ５３は、左右のパイロットランプ５４，５５及びコンセント５６が載置固定されている副台座部材７０とともに、台座部材６１に載置固定されて一体化されている。
【０１３４】
また、本実施形態では、ガイドレール６Ｂの正面部３４に形成された開口部３４Ｂは、扉体である蓋部材４０によって開閉自在となっているが、コネクター５６Ａ（図４参照）がオス（雄）型形状となっている電源切替装置５０のコンセント５６は、開口部３４Ｂと対向して配置されている。
【０１３５】
本実施形態では、前述したように、開閉機１３の駆動制御を実行するための制御装置１７を備えており、電源切替装置５０の切替スイッチ５３から制御装置１７へ延びる電源線２２（図６では電源線Ｒ１，Ｓ１，Ｔ１）は、図１及び図２から分かるように、ガイドレール６Ｂの内部に収納配線されている。
【０１３６】
また、本実施形態では、前述したように、開閉機１３によるシャッターカーテン１の移動操作・停止操作を行うための操作装置１９を備えており、この操作装置１９もガイドレール６Ｂの内部に収納配置されており、操作装置１９から制御装置１７へ延びる制御線２４は、図１及び図２から分かるように、ガイドレール６Ｂの内部に収納配線されている。
【０１３７】
なお、電源切替装置５０の切替スイッチ５３から操作装置１９へ延びる電源線２３（図６では電源線Ｒ１，Ｓ１，Ｔ１）も、図２から分かるように、ガイドレール６Ｂの内部に収納配線されている。
【０１３８】
また、商用電源２０から電源切替装置５０へ延びる電源線２１（図６では電源線Ｒ，Ｓ，Ｔ）も、図１及び図２から分かるように、ガイドレール６Ｂの内部に収納配線されている。
【０１３９】
なお、本実施形態では、電源切替装置５０の切替スイッチ５３は、ガイドレール６Ｂの内部における床４から約１３０ｃｍの高さ位置に配置されるものとなっている。
【０１４０】
また、本実施形態では、台座部材６１の平坦部６１Ａに載置固定されている電源切替装置５０の構成部品のうち、ブレーカー５２と切替スイッチ５３の平坦部６１Ａの幅方向（図４では左右方向）の配置位置は、図４で示されているように、平坦部６１Ａの幅方向中央位置Ｍから片寄った位置（本実施形態では、中央位置Ｍから左側に寄った位置）となっている。
【０１４１】
これにより、図４で示されているように、平坦部６１Ａにおけるブレーカー５２と切替スイッチ５３の側部（図４では、右側部）６１Ｄは、何も載置されていない部分が形成される。
【０１４２】
このため、この側部６１Ｄを、電源切替装置５０の構成部品の配線スペース（言い換えると、電源線等を配置するスペース）とすることができるようになる。
【０１４３】
また、本実施形態では、図３や図１７で示されているように、台座部材６１の平坦部（言い換えると、上面部又は水平部）６１Ａの下側には、この平坦部６１Ａと左右の第１屈曲部（言い換えると、垂下部）６１Ｂとにより、空間部６１Ｅが形成されている。
【０１４４】
このため、この空間部６１Ｅを、電源切替装置５０の構成部品の配線スペース（言い換えると、電源線等を配置するスペース）とすることができるようになる。
【０１４５】
なお、本実施形態では、図４で示されているように、台座部材６１の平坦部６１Ａにおける切替スイッチ５３の真上の部分には、「通常使用時」の文字が表示された「通常使用時」表示ラベル６６が貼付又は刻印されており、台座部材６１の平坦部６１Ａにおける切替スイッチ５３の真下の部分には、「発電機使用時」の文字が表示された「発電機使用時」表示ラベル６７が貼付又は刻印されている。
【０１４６】
これにより、切替スイッチ５３の操作者（シャッター装置の管理者等）は、通常時においては、切替スイッチ５３の操作部６２を上側の回動限位置まで回動操作した状態にすればよいと分かり、非常時においては、操作部６２を下側の回動限位置まで回動操作した状態にすればよいことが分かる。
【０１４７】
また、図４及び図５で示されている切替スイッチ５３の操作部６２の摘み部材６４の幅広部６４Ｂにおけるコンセント５６側（言い換えると、下側。図４では手前側）の面部６４Ｄには、「通常使用時」表示ラベル６８が貼付又は刻印されており、摘み部材６４の幅広部６４Ｂにおけるブレーカー５２側（言い換えると、上側。図４では奥側）の面部６４Ｃには、「発電機使用時」表示ラベル６９が貼付又は刻印されている。
【０１４８】
これにより、切替スイッチ５３の操作者は、通常時においては、切替スイッチ５３の操作部６２を上側の回動限位置まで回動操作した状態にすればよいことが一層分かりやすくなり、非常時においては、操作部６２を下側の回動限位置まで回動操作した状態にすればよいことが一層分かりやすくなる。
【０１４９】
言い換えると、切替スイッチ５３の操作者は、この切替スイッチ５３の通常時の使用方法は、操作部６２の摘み部材６４の幅広部６４Ｂに正面視で「通常使用時」表示ラベル６８が現れるように操作部６２を上側の回動限位置まで回動操作すればよいと分かり、この切替スイッチ５３の非常時の使用方法は、操作部６２の摘み部材６４の幅広部６４Ｂに正面視で「発電機使用時」表示ラベル６９が現れるように操作部６２を下側の回動限位置まで回動操作すればよいと分かるようになる。
【０１５０】
このように、本実施形態によると、台座部材６１の平坦部６１Ａに貼付又は刻印されている「通常使用時」表示ラベル６６及び「発電機使用時」表示ラベル６７と、切替スイッチ５３の操作部６２の摘み部材６４の幅広部６４Ｂに貼付又は刻印されている「通常使用時」表示ラベル６８及び「発電機使用時」表示ラベル６９と、により、切替スイッチ５３の操作方法と動作状態を容易に把握することができるようになる。
【０１５１】
本実施形態に係る電源切替装置５０は、前述したように、停電等の非常時になったとき、制御装置１７、開閉機１３及び操作装置１９等に電力を供給するための電源を商用電源２０から発電機８０へ切り替えるためのものである。
【０１５２】
したがって、停電が復旧したときには、電源切替装置５０の切替スイッチ５３の操作部６２を操作して、制御装置１７、開閉機１３及び操作装置１９等に電力を供給するための電源を発電機８０から商用電源２０へ即時に切り替えることが好ましい。
【０１５３】
本実施形態では、非常時には、シャッター装置の管理者等が、図３で示されているように、全閉状態となっていた蓋部材４０を開放動作させ、切替スイッチ５３の操作部６２を図７及び図８に示す下側の回動限位置まで回動させて、制御装置１７、開閉機１３及び操作装置１９等に電力を供給するための電源を商用電源２０から発電機８０へ切り替えることになる。
【０１５４】
この後、蓋部材４０を閉鎖動作させ、この蓋部材４０を再び全閉状態とした場合には、停電が復旧したとき、電源切替操作を行った上述のシャッター装置の管理者が、切替スイッチ５３の操作部６２を図４及び図５に示す上側の回動限位置まで回動させて、制御装置１７、開閉機１３及び操作装置１９等に電力を供給するための電源を発電機８０から商用電源２０へ即時に切り替えることを忘れるおそれがある。
【０１５５】
これは、シャッター装置の管理者が、電源切替操作後、蓋部材４０を閉鎖動作させ、この蓋部材４０を再び全閉状態とした場合には、外部からは、切替スイッチ５３の操作部６２の状態がどうなっているのかが分からなくなるためである。
【０１５６】
このため、本実施形態では、切替スイッチ５３の操作部６２が、下側の回動限位置まで回動させた状態となっていたり、中途半端な位置まで回動させた状態となっているときには、蓋部材４０が全閉位置まで閉鎖動作することを阻止するための蓋部材全閉動作阻止手段が備えられている。
【０１５７】
言い換えると、本実施形態では、切替スイッチ５３の操作部６２が、水平姿勢となる中央位置から下側の回動限位置までの位置にあるとき、蓋部材４０が全閉位置まで閉鎖動作することを阻止するための蓋部材全閉動作阻止手段が備えられている。
【０１５８】
なお、切替スイッチ５３の操作部６２が、水平姿勢となる中央位置よりも上側の位置から上側の回動限位置までの位置にあるときは、蓋部材４０が全閉位置まで閉鎖動作することは阻止されない。
【０１５９】
次に、本発明の一実施形態に係る蓋部材全閉動作阻止手段について説明する。
【０１６０】
本実施形態に係る蓋部材全閉動作阻止手段は、図３で示されているように、蓋部材４０の裏面４０Ｂからガイドレール６Ｂへ突出して配置された突出部材９０となっている。
【０１６１】
図９は、図３で示されている突出部材９０単独の斜視図である。この図９から分かるように、突出部材９０は、図５に示す切替スイッチ５３のカバー部材６３の半円部６３Ａの外周面と略対応する形状を有するとともに、蓋部材４０の裏面４０Ｂに取り付けられたときにはガイドレール６Ｂ側へ開口した凹部９１を有している。
【０１６２】
図９及び図３から分かるように、突出部材９０におけるこの突出部材９０の凹部９１よりも下側の部分９３におけるガイドレール６Ｂ側の端面９３Ａは、突出部材９０におけるこの突出部材９０の凹部９１よりも上側の部分９２におけるガイドレール６Ｂ側の端面９２Ａよりも、図５に示す操作部６２の摘み部材６４の回動方向である厚さ方向の寸法分ｔと同じ又は略同じだけガイドレール６Ｂ側に突出している。
【０１６３】
次に、蓋部材４０を閉鎖動作させたときの突出部材９０の作用について、図１０〜図１４により説明する。
【０１６４】
まず、切替スイッチ５３の操作部６２が、この操作部６２の回動範囲のうち、水平姿勢となる中央位置よりも上側の位置から、上側の回動限位置までの範囲の途中にあったときにおける蓋部材４０の閉鎖動作について説明する。
【０１６５】
図１０は、切替スイッチ５３の操作部６２が、上述したように、この操作部６２の回動範囲のうち、水平姿勢となる中央位置よりも上側の位置から、上側の回動限位置までの範囲の途中にあったときに、この操作部６２の摘み部材６４が、閉鎖動作させた蓋部材４０の突出部材９０に当接した直後を示す図である。なお、この図１０及び後述する図１１〜図１４において、図３で示されている蓋部材４０を回動自在とするヒンジ４２、蓋部材４０の取手部材４１、及び蓋部材４０を施錠するためのラッチ４１Ｂの表示は省略している。
【０１６６】
この図１０から分かるように、蓋部材４０を閉鎖動作させていくことにより、操作部６２の摘み部材６４の幅狭部６４Ａの先端部が、蓋部材４０の裏面４０Ｂに取り付けられている突出部材９０の凹部９１に当接することになる。
【０１６７】
図１１は、図１０で示されている操作部６２が、蓋部材４０をさらに閉鎖動作させたことにより、操作部６２が上方向に回動したときを示す図１０と同様の図である。
【０１６８】
この図１１から分かるように、蓋部材４０をさらに閉鎖動作させることにより、操作部６２の摘み部材６４の幅狭部６４Ａの先端部が突出部材９０の凹部９１に押されて、この操作部６２が上方向に回動した後、この操作部６２の摘み部材６４の幅狭部６４Ａの先端部が、突出部材９０におけるこの突出部材９０の凹部９１よりも上側の部分９２におけるガイドレール６Ｂ側の端面９２Ａに当接することになる。
【０１６９】
この後、蓋部材４０をさらに閉鎖動作させることにより、操作部６２は、摘み部材６４の幅狭部６４Ａの先端部が突出部材９０の上側の部分９２の端面９２Ａに押されて、さらに上方向に回動することになる。
【０１７０】
図１２は、図１１で示されている操作部６２が、蓋部材４０をさらに閉鎖動作させたことにより、上側の回動限位置まで回動したときを示す図１０と同様の図である。
【０１７１】
前述したように、突出部材９０におけるこの突出部材９０の凹部９１よりも下側の部分９３におけるガイドレール６Ｂ側の端面９３Ａは、突出部材９０におけるこの突出部材９０の凹部９１よりも上側の部分９２におけるガイドレール６Ｂ側の端面９２Ａよりも、図５に示す操作部６２の摘み部材６４の回動方向である厚さ方向の寸法分ｔと同じ又は略同じだけガイドレール６Ｂ側に突出している。
【０１７２】
このため、操作部６２が上側の回動限位置まで回動したときには、図１２で示されているように、操作部６２のカバー部材６３の半円部６３Ａが突出部材９０の凹部９１と密着又は略密着した状態となるとともに、蓋部材４０は全閉位置に達する。すなわち、蓋部材４０は、ガイドレール６Ｂの正面部３４と面一状態となる。
【０１７３】
このように、切替スイッチ５３の操作部６２が、この操作部６２の回動範囲のうち、水平姿勢となる中央位置よりも上側の位置から、上側の回動限位置までの範囲の途中にあったときに、蓋部材４０を閉鎖動作させたときには、この蓋部材４０は全閉位置まで閉鎖動作させることが可能となる。
【０１７４】
なお、切替スイッチ５３の操作部６２が、蓋部材４０を閉鎖動作させる前から上側の回動限位置にあったときには、この蓋部材４０は、全閉位置までスムーズに閉鎖動作する。
【０１７５】
図１３は、切替スイッチ５３の操作部６２が、この操作部６２の回動範囲のうち、中央位置にあったときに、この操作部６２が、閉鎖動作させた蓋部材４０の突出部材９０に当接した直後の電源切替装置を示す図１０と同様の図である。
【０１７６】
この図１３から分かるように、蓋部材４０を閉鎖動作させていくことにより、操作部６２の摘み部材６４の幅狭部６４Ａの先端部は、突出部材９０の凹部９１に当接するが、摘み部材６４が水平姿勢となっているため、蓋部材４０はこれ以上閉鎖動作できず、この蓋部材４０は、図１３で示されているような若干開いたままの状態のままとなる。言い換えると、蓋部材４０は、全閉位置よりも若干手前の位置で閉鎖動作を停止する。
【０１７７】
図１４は、切替スイッチ５３の操作部６２が、この操作部６２の回動範囲のうち、中央位置よりも下側の位置から、下側の回動限位置までの範囲の途中にあったときに、この操作部６２が、閉鎖動作させた蓋部材４０の突出部材９０に当接し、下側の回動限位置まで回動したときを示す図１０と同様の図である。
【０１７８】
この図１４から分かるように、切替スイッチ５３の操作部６２が、この操作部６２の回動範囲のうち、中央位置よりも下側の位置から、下側の回動限位置までの範囲の途中にあったときにおいても、操作部６２の摘み部材６４の幅狭部６４Ａの先端部は、閉鎖動作させた蓋部材４０の突出部材９０の凹部９１や上側の部分９２の端面９２Ａに押され、これにより、操作部６２は、下側の回動限位置まで回動することになる。
【０１７９】
しかし、前述したように、突出部材９０の下側の部分９３におけるガイドレール６Ｂ側の端面９３Ａは、突出部材９０の上側の部分９２におけるガイドレール６Ｂ側の端面９２Ａよりも、図５に示す操作部６２の摘み部材６４の回動方向である厚さ方向の寸法分ｔと同じ又は略同じだけガイドレール６Ｂ側に突出している。
【０１８０】
このため、図１４から分かるように、操作部６２のカバー部材６３の半円部６３Ａは、図１２で示されているように突出部材９０の凹部９１と密着又は略密着した状態とはならず、操作部６２のカバー部材６３の半円部６３Ａと、突出部材９０の凹部９１と間には、最大で操作部６２の摘み部材６４の回動方向である厚さ方向の寸法分ｔの隙間が生じるとともに、蓋部材４０はこれ以上閉鎖動作できず、この蓋部材４０は、図１４で示されているような僅かに開いた状態のままとなる。言い換えると、蓋部材４０は、全閉位置よりも僅か手前の位置で閉鎖動作を停止する。
【０１８１】
前述したように、本実施形態では、停電等の非常時には、シャッター装置の管理者等が、図３で示されているように、全閉状態となっていた蓋部材４０を開放動作させ、切替スイッチ５３の操作部６２を図７及び図８に示す下側の回動限位置まで回動させて、制御装置１７、開閉機１３及び操作装置１９等に電力を供給するための電源を商用電源２０から発電機８０へ切り替えることになる。
【０１８２】
この後、全閉位置まで閉鎖可能となっている蓋部材４０をこの全閉位置まで閉鎖動作させた場合には、停電が復旧したとき、電源切替操作を行った上述のシャッター装置の管理者等が、切替スイッチ５３の操作部６２を図４及び図５に示す上側の回動限位置まで回動させて制御装置１７、開閉機１３及び操作装置１９等に電力を供給するための電源を発電機８０から商用電源２０へ即時に切り替えることを忘れるおそれがある。
【０１８３】
すなわち、シャッター装置の管理者等が、電源切替操作後、裏面４０Ｂに突出部材９０が取り付けられていない蓋部材４０を閉鎖動作させ、この蓋部材４０を再び全閉状態とした場合には、外部からは、切替スイッチ５３の操作部６２の状態がどうなっているのかが分からなくなるため、停電が復旧したときに、制御装置１７、開閉機１３及び操作装置１９等に電力を供給するための電源を発電機８０から商用電源２０へ即時に切り替えることを忘れるおそれがある。
【０１８４】
しかし、本実施形態では、切替スイッチ５３の操作部６２が、水平姿勢となる中央位置から、下側の回動限位置までの位置にあるとき、蓋部材４０は、蓋部材全閉動作阻止手段となっている突出部材９０により、全閉位置まで閉鎖動作することが阻止されるようになっている。
【０１８５】
これにより、シャッター装置の管理者等は、全閉位置まで閉鎖動作していない蓋部材４０を見て、切替スイッチ５３の操作部６２が中央位置又は下側の回動限位置にあることが分かるようになる。
【０１８６】
この後、切替スイッチ５３の操作部６２が中央位置にあれば、シャッター装置の管理者等は、切替スイッチ５３の操作部６２を、通常時の位置である上側の回動限位置まで回動させなければならないことを認識するようになる。
【０１８７】
また、切替スイッチ５３の操作部６２が下側の回動限位置にあれば、シャッター装置の管理者等は、停電が復旧した後には、下側の回動限位置にある切替スイッチ５３の操作部６２を、通常時の位置である上側の回動限位置まで回動させなければならないことを認識するようになる。
【０１８８】
このように、本実施形態によると、切替スイッチ５３を操作して電力を供給するための電源を発電機８０から商用電源２０へ切り替えること、言い換えると、切替スイッチ５３を通常時の位置に戻すことを忘れるのを防止できるようになる。
【０１８９】
なお、本実施形態では、通常時において、上側の回動限位置にあった切替スイッチ５３の操作部６２が、いたずら等により、中央位置から下側の回動限位置までの範囲で回動操作されたとしても、蓋部材全閉動作阻止手段が備えられていることにより、シャッター装置の管理者等は、蓋部材４０が全閉位置まで閉鎖動作していないことを見て、切替スイッチ５３がいたずら操作等されたことに気付くようになる。
【０１９０】
なお、本実施形態において、蓋部材全閉動作阻止手段は、図９で示されている突出部材９０に限定されるものではなく、任意な形式、構造のものでよい。
【０１９１】
前述したように、電源切替装置５０のコンセント５６は、コネクター５６Ａ（図４参照）がオス（雄）型形状となっており、このため、本実施形態では、発電機８０の電源プラグ８２が差し込まれていないときのコンセント５６の内部に外部から塵や埃が入ることを防ぐためのキャップ部材８５が備えられている。
【０１９２】
図１５には、電源切替装置５０のコンセント５６がこのキャップ部材８５で覆われているときが示されている。キャップ部材８５のコンセント５６への固定は、キャップ部材８５の内周面に形成された図示しない雌ねじを、コンセント５６のコネクター５６Ａを囲んでいる円筒部５６Ｂ（図４参照）の外周面に形成された図示しない雄ねじに螺合させることにより行う。
【０１９３】
また、図１５で示されているように、キャップ部材８５には、チェーン等の紐状部材８６の一端が取り付けられているとともに、副台座部材７０の第１屈曲部７０Ｂには、紐状部材８６の他端が取り付けられている。
【０１９４】
すなわち、本実施形態では、キャップ部材８５は、紐状部材８６を介して副台座部材７０に取り付けられている。
【０１９５】
このため、本実施形態によると、キャップ部材８５を紛失してしまうことを防止することができる。
【０１９６】
以上説明した本実施形態では、電源切替装置５０は、商用電源２０からの電力供給状態を表示するためのパイロットランプ５４を備えている。
【０１９７】
このため、本実施形態によると、商用電源２０からの電力供給状態、すなわち、商用電源２０が制御装置１７、開閉機１３及び操作装置１９等へ電力を供給することが可能となっていること（停電や故障等により制御装置１７、開閉機１３及び操作装置１９等へ電力を供給することが不可能となっていた商用電源２０が、その後の停電の復旧や修理等により、再び制御装置１７、開閉機１３及び操作装置１９等へ電力を供給することが可能となったことを含む）や、商用電源２０が停電や故障等により制御装置１７、開閉機１３及び操作装置１９等へ電力を供給することが不可能となっていること、を視覚的に把握することができるようになる。
【０１９８】
また、本実施形態では、電源切替装置５０は、発電機８０からの電力供給状態を表示するためのパイロットランプ５５も備えている。
【０１９９】
このため、本実施形態によると、発電機８０からの電力供給状態、すなわち、発電機８０が制御装置１７、開閉機１３及び操作装置１９等へ電力を供給することが可能となっていることや、発電機８０が故障により制御装置１７、開閉機１３及び操作装置１９等へ電力を供給することが不可能となっていること、を視覚的に把握することができるようになる。
【０２００】
このように、本実施形態明によると、商用電源２０及び発電機８０からの電力供給状態、言い換えると、商用電源２０及び発電機８０の稼働状況を視覚的に把握することができるようになる。
【０２０１】
なお、従来の電源切替装置は、シャッター装置の設置場所からやや離れた場所である壁等の建物躯体に設置されており、このため、建物躯体に電源切替装置を設置するための凹部等を形成する作業等が必要となり、それだけ電源切替装置の設置コストが掛かっていた。
【０２０２】
しかし、以上説明した本実施形態では、切替スイッチ５３と、パイロットランプ５４，５５と、コンセント５６と、を含んで構成される電源切替装置５０は、シャッターカーテン１の開閉移動を案内するためのガイドレール６Ｂの内部に収納配置するものとなっているため、上述した従来のように、壁３Ｂに電源切替装置５０を設置するための凹部等を形成する作業等は必要なくなる。
【０２０３】
このため、本実施形態によると、従来と比較して、電源切替装置５０の設置コストを削減化できるようになる。
【０２０４】
また、本実施形態では、前述したように、電源切替装置５０を構成する各部品のガイドレール６Ｂの内部における配置関係は、図４及び図５に示されているように、上から、第１端子台５１、ブレーカー５２、切替スイッチ５３、左右２個のパイロットランプ５４，５５、コンセント５６の順に縦並びに載置固定されている。
【０２０５】
このため、本実施形態によると、ガイドレール６Ｂの内部において電源切替装置５０を構成する各部品を横並びに配置した場合と比較して、ガイドレール６Ｂの幅方向の寸法をより小さくすることができるようになる。
【０２０６】
また、本実施形態では、切替スイッチ５３とコンセント５６は、図２、図４及び図５から分かるように、ガイドレール６Ｂの内部において、上から切替スイッチ５３とコンセント５６の順に配置されている。
【０２０７】
前述したように、本実施形態では、第２電源である発電機８０は、後述する図１６で示されているように、床４の上に配置されるものであり、発電機８０から延びる電源線（言い換えると、電気コード）８１の先端部となっている電源プラグ８２を、電源切替装置５０のコンセント５６に差し込むことになる。
【０２０８】
このため、本実施形態によると、上からコンセント５６、切替スイッチ５３の順に配置した場合と比較して、発電機８０から延ばす電源線８１の長さをより短くすることができる。
【０２０９】
また、本実施形態では、電源切替装置５０を構成する第１端子台５１、ブレーカー５２、切替スイッチ５３、左右２個のパイロットランプ５４，５５、コンセント５６及び第２端子台５７は、台座部材６１に載置固定されて一体化されてガイドレール６Ｂの内部に収納配置されるものとなっている。
【０２１０】
このため、本実施形態によると、工場において、電源切替装置５０を構成する第１端子台５１、ブレーカー５２、切替スイッチ５３、左右２個のパイロットランプ５４，５５、コンセント５６及び第２端子台５７を、台座部材６１に載置固定する作業を予め行っておくことができ、この後、現場であるシャッター装置の設置場所では、電源切替装置５０を構成する上述した各部品が載置固定された台座部材６１を取付部材６０に固定する作業を行うだけで済むようになる。
【０２１１】
すなわち、本実施形態によると、電源切替装置５０を構成する各部品をガイドレール６Ｂの内部に収納配置する作業時間の短縮化を図ることができるようになる。
【０２１２】
また、本実施形態では、前述したように、商用電源２０から電源切替装置５０へ延びる電源線２１と、電源切替装置５０の切替スイッチ５３から制御装置１７へ延びる電源線２２は、ガイドレール６Ｂの内部である収納部３２に収納配線されている（図２参照）。
【０２１３】
このため、本実施形態によると、切替スイッチ５３から制御装置１７へ延びる電源線２２を壁３Ｂ等の建物躯体の内部に通す必要がない。すなわち、建物躯体３Ｂに上記電源線２２を配線するための凹部等を形成する作業等は必要なくなる。
【０２１４】
すなわち、本実施形態によると、電源線２１，２２の配線作業が容易となる。また、本実施形態によると、電源線２１，２２を壁３Ａの内部に収納配線する場合と比較して、電源線２１，２２の配線作業コストの削減化を図れるようになる。
【０２１５】
本実施形態では、操作装置１９は、電源切替装置５０が収納配置されているガイドレール６Ｂの内部に収納配置するようになっている。
【０２１６】
このため、本実施形態によると、操作装置１９を壁３Ｂ等の建物躯体に設置する必要がないため、それだけ、操作装置１９の設置コストの削減化を図ることができる。
【０２１７】
なお、本実施形態では、操作装置１９は、電源切替装置５０の上側に配置されているものであるが、この操作装置１９は、電源切替装置５０の左側又は右側に配置するようにしてもよく、電源切替装置５０の下側に配置するようにしてもよい。
【０２１８】
また、本実施形態では、図１及び図２から分かるように、操作装置１９から制御装置１７へ延びる制御線２４は、ガイドレール６Ｂの内部である収納部３２を経由して制御装置１７へ接続されている。すなわち、制御線２４は、電源線２１〜２３と同様に、ガイドレール６Ｂの内部である収納部３２に収納配線されている。
【０２１９】
このため、本実施形態によると、電源線２１〜２３と同様に、制御線２４の配線作業が容易となる。また、本実施形態によると、制御線２４を壁３Ａの内部に収納配線する場合と比較して、制御線２４の配線作業コストの削減化を図れるようになる。
【０２２０】
また、本実施形態では、ガイドレール６Ｂは、図２に示されているように、シャッターカーテン１のカーテン本体１Ａの幅方向の端部１Ｄがスライド自在に挿入される挿入部３１と、本実施形態に係る電源切替装置５０や操作装置１９が収納配置されている収納部３２とは、仕切部３３によって仕切られている。
【０２２１】
これにより、挿入部３１から埃や雨水等が流入する場合があっても、これらは、仕切部３３で遮られて収納部３２へ流入することが阻止される。
【０２２２】
このため、本実施形態によると、収納部３２に収納配置されている電源切替装置５０や操作装置１９を外部から保護することができるようになる。
【０２２３】
また、本実施形態では、電源切替装置５０や操作装置１９が収納部３２に収納配置されているため、火災が発生した場合、この火災による熱で電源切替装置５０や操作装置１９が溶融、損傷してしまうことが防止される。
【０２２４】
また、本実施形態では、前述したように、図１で示されているガイドレール６Ｂの正面部３４に形成された開口部３４Ｂは、扉体である蓋部材４０によって開閉自在となっているが、コネクター５６Ａ（図４参照）がオス（雄）型形状となっている電源切替装置５０のコンセント５６は、開口部３４Ｂと対向して配置されている。
【０２２５】
このため、本実施形態によると、図１７から分かるように、発電機８０の電源プラグ８２を電源切替装置５０のコンセント５６に差し込む作業や、電源切替装置５０のコンセント５６に差し込んでいた発電機８０の電源プラグ８２を抜き取る作業（言い換えると、取り外す作業）が容易となる。
【０２２６】
なお、本実施形態では、右側のガイドレール６Ｂの正面部３４に形成されている開口部３４Ｂを開閉する蓋部材４０は、右開きの扉体（言い換えると、右開きの開き戸）となっている。
【０２２７】
これは、蓋部材４０が左開きの扉体となっている場合には、シャッター装置の管理者等が、蓋部材４０を開放動作させて電源切替作業や電源切替装置５０のメンテナンス作業等を行うとき、このシャッター装置の管理者等は、開放動作されて左側に存在する蓋部材４０と、右側に存在する壁３Ｂとの間の窮屈なスペースで作業を行わなければならないからである。
【０２２８】
これに対して、本実施形態では、シャッター装置の管理者等が、蓋部材４０を開放動作させて電源切替作業や電源切替装置５０のメンテナンス作業等を行うとき、このシャッター装置の管理者等の左側には、作業の邪魔となる蓋部材４０が存在しないため、このシャッター装置の管理者等は、蓋部材４０が左開きの扉体となっている場合と比較して、作業がし易くなる。
【０２２９】
なお、本実施形態では、前述したように、左右に横並びに配置されているパイロットランプ５４，５５は、コンセント５６の上側であってこのコンセント５６の近傍に配置されている（図４参照）。
【０２３０】
これは、左右に横並びに配置されているパイロットランプ５４，５５を、コンセント５６の下側に配置した場合には、非常時において、パイロットランプ５４，５５が、コンセント５６に電源プラグ８２を差し込んだ発電機８０の電源線８１によって見えにくくなるおそれがあるからである。
【０２３１】
次に、実施形態に係るシャッター装置の電源切替方法の一実施形態について、図１６及び図１７により説明する。
【０２３２】
図１６は、本実施形態に係る第２電源となっている移動自在な発電機８０をシャッター装置まで移動し、この発電機８０の電源プラグ８２を電源切替装置５０のコンセント５６に差し込んだときを示す図２と同様の図である。図１７は、図１６で示されている発電機８０の電源プラグ８２を電源切替装置５０のコンセント５６に差し込むときを示す図３と同様の図である。
【０２３３】
前述したように、本実施形態では、通常時においては、制御装置１７、開閉機１３及び操作装置１９等に電力を供給するための本実施形態に係る第１電源は、図１、図２及び図６で示されている商用電源２０となっている。
【０２３４】
しかし、非常時である停電等により商用電源２０からの電力供給が不可能となったときには、図１で示されているシャッター装置が設置されている場所とは別の場所である倉庫等に保管してあった発電機８０を、図１６で示されているように、シャッター装置の設置場所まで移動する作業を実施する第１工程を行う。
【０２３５】
本実施形態では、発電機８０は、図１６で示されているように、少なくとも３個の車輪８０Ａを有していて移動自在となっており、このため、発電機８０を倉庫等からシャッター装置の設置場所まで容易に移動させることができるようになっている。なお、発電機８０自体に車輪８０Ａが備えられていない場合には、この発電機８０を台車等に積載した後、倉庫等からシャッター装置の設置場所まで移動させる。
【０２３６】
次に、図１及び図３に示すガイドレール６Ｂの蓋部材４０の取手部材４１を操作してこの蓋部材４０を開放動作させ、ガイドレール６Ｂの収納部３２の内部に収納配置されている電源切替装置５０を外部から操作できる状態にする。
【０２３７】
この後、図６、図１６及び図１７で示されている発電機８０の電源線８１の電源プラグ８２を電源切替装置５０のコンセント５６に差し込む作業を実施するとともに、図４及び図５で示されているように、上側の回動限位置に達して上向きの略垂直姿勢となっている電源切替装置５０の切替スイッチ５３の操作部６２の摘み部材６４を摘んで、この摘み部材６４が、図７及び図８で示されているように、下側の回動限位置に達して下向きの略垂直姿勢となるように、摘み部材６４を下向きに約１８０度回動させる作業を実施する。これにより、制御装置１７、開閉機１３及び操作装置１９等が発電機８０と接続された状態となる。
【０２３８】
すなわち、発電機８０を電源切替装置５０に接続する作業を実施するとともに、この電源切替装置５０により、制御装置１７、開閉機１３及び操作装置１９等に電力を供給する電源を、商用電源２０から発電機８０へ切り替える作業を実施する第２工程を行う。上述した図１６は、この第２工程が行われたときを示す図２と同様の図となっている。
【０２３９】
以上の第１及び第２工程により、発電機８０からの電力が、図２及び図１６に示す電源線２２を経由して制御装置１７へ供給されるとともに、図示しない電源線を経由して開閉機１３へも供給されることになる。また、このとき、発電機８０からの電力は、図２及び図１６に示す電源線２３を経由して操作装置１９へも供給される。
【０２４０】
この後、図２で示されている操作装置１９の「開」ボタン１９Ａを操作して、全閉となっていたシャッターカーテン１を開き移動させる。
【０２４１】
また、以上説明した本実施形態に係るシャッター装置の電源切替方法では、移動自在となっている発電機８０は、通常時にはシャッター装置の設置場所とは別の場所である倉庫等に保管してあるものであり、この発電機８０は、停電等の非常時になってから、保管してあった倉庫等からシャッター装置の設置場所まで移動するものとなっている。
【０２４２】
これにより、本実施形態では、シャッター装置の内部あるいはその近傍に発電機８０を常備しておく必要がない。
【０２４３】
このため、本実施形態によると、発電機８０の設置コストも削減化できるようになる。
【０２４４】
特に、現場にシャッター装置が複数個設置されるものである場合には、それぞれのシャッター装置の内部あるいはその近傍に、それぞれのシャッター装置専用の発電機８０を常備しておく必要がなく、複数個のシャッター装置で１個の発電機８０を使い回しすることが可能となる。これにより、発電機８０の設置コストの大幅な削減化を図ることができるようになる。
【０２４５】
なお、以上説明した本実施形態では、操作装置１９からの制御信号は、有線である図１及び図２に示す制御線２４を経由して制御装置１７に送信されるものであったが、操作装置１９と制御装置１７とは、無線により接続されるものであってもよい。
【０２４６】
なお、本実施形態において、発電機８０は、ディーゼル発電機でもよく、ガソリン発電機でもよく、さらには、太陽光発電機、風力発電機等でもよい。
【０２４７】
また、本実施形態では、電源切替装置５０の切替スイッチ５３は、カバー付きのナイフスイッチであったが、この切替スイッチ５３は、これに限定されるものではく、例えば、トグルスイッチ、ロッカースイッチ、ロータリースイッチ、セレクタスイッチ、押しボタンスイッチ等でもよい。
【０２４８】
なお、本実施形態では、左右のガイドレール６Ａ，６Ｂのうち、右側のガイドレール６Ｂは、電源切替装置５０が収納配置される収納部３２を有する分、左側のガイドレール６Ａよりも、シャッターカーテン１の幅方向である左右方向の形状、寸法が大きいものであったが、左側のガイドレール６Ａも、右側のガイドレール６Ｂと同様の形状、寸法を有するものとしてもよい。
【０２４９】
また、本実施形態では、電源切替装置５０は、屋内側から操作するものとなっていたが、屋外側から操作するものでもよい。電源切替装置５０を屋外側から操作できるようにするためには、例えば、図３に示されているガイドレール６Ｂの正面部３４の内側面部３４Ｃに電源切替装置５０を配置するとともに、ガイドレール６Ｂの背面部３５における電源切替装置５０と対向する部分に、非常時に手を入れて電源切替装置５０を操作するための開口部を形成すればよい。
【０２５０】
また、電源切替装置５０は、屋内側と屋外側の両方から操作できるようにしてもよい。電源切替装置５０を屋内側と屋外側の両方から操作できるようにするためには、例えば、図３に示されているガイドレール６Ｂにおける壁３Ｂと対向する側の側面部３６の内側面部３６Ａに電源切替装置５０を配置するとともに、ガイドレール６Ｂの正面部３４と背面部３５における電源切替装置５０が配置されている高さ位置と同じ又は略同じ高さ位置の部分に、非常時に手を入れて電源切替装置５０を操作するための開口部をそれぞれ形成すればよい。
【産業上の利用可能性】
【０２５１】
本発明は、シャッターカーテンが開閉体となっているシャッター装置や、スライドするドアが開閉体となっているオーバースライディングドア（オーバーヘッドドア）装置、防煙垂れ壁装置、引き戸装置等の各種の開閉装置に利用できる。
【符号の説明】
【０２５２】
１  シャッターカーテン
１Ｃ，１Ｄ  シャッターカーテンの幅方向の端部
６Ａ，６Ｂ  収納部材となっている案内部材であるガイドレール
１３  駆動装置である開閉機
２０  第１電源である商用電源
３１  挿入部
３２  収納部
３３  仕切部
３４Ｂ  開口部
４０  蓋部材
４０Ｂ  蓋部材の裏面
４２  ヒンジ
５０  電源切替装置
５３  切替スイッチ
５６  コンセント
６２  操作部
６３  カバー部材
６３Ａ  半円部
６１  台座部材
６１Ａ  平坦部
６１Ｂ  第１屈曲部
６１Ｃ  第２屈曲部
８０  第２電源である発電機
８２  電源プラグ
９０  突出部材
９１  凹部
９２  凹部よりも上側の部分
９２Ａ  凹部よりも上側の部分におけるガイドレール側の端面
９３  凹部よりも下側の部分
９３Ａ  凹部よりも下側の部分におけるガイドレール側の端面
ｔ  操作部の回動方向である厚さ方向の寸法
【図１】
2018178616.tif 000003
【図２】
2018178616.tif 000004
【図３】
2018178616.tif 000005
【図４】
2018178616.tif 000006
【図５】
2018178616.tif 000007
【図６】
2018178616.tif 000008
【図７】
2018178616.tif 000009
【図８】
2018178616.tif 000010
【図９】
2018178616.tif 000011
【図１０】
2018178616.tif 000012
【図１１】
2018178616.tif 000013
【図１２】
2018178616.tif 000014
【図１３】
2018178616.tif 000015
【図１４】
2018178616.tif 000016
【図１５】
2018178616.tif 000017
【図１６】
2018178616.tif 000018
【図１７】
2018178616.tif 000019